(57)【要約】  インプラント（６）は、近位脛骨の顆（２１）に移植されるために設けられる。このインプラントは、前方縁部（６３）が脛骨プラトー（２）の前方輪郭を少なくとも近似的に模倣するような形状に形成される。インプラントは、該インプラントが後方方向及び外側方向において脛骨プラトーの周囲部からできる限り伸長しないような寸法を有し、形状の一致した固定要素を有していないようなプレートの形状に形成され、脛骨プラトーの凹部に引き出しのように押し込まれ、接着され得る。インプラントは、骨組織及び軟部組織を最大限温存すること（できるだけ切開しないこと）を可能にし、必要な切除及び移植はほぼ純粋な前方アクセスにより実施され得る。
2009525095.tif 000002
【特許請求の範囲】
【請求項１】
２つの表面（７、８）を含む脛骨プラットフォームインプラントであって、前記２つの表面は互いに反対になるように両面に配置され、前記２つの表面の少なくとも一方の表面は少なくとも関節面として設けられ、少なくとも他方の表面は少なくとも接着面として設けられ、前記インプラントは、前記２つの表面の一方の面において外周を有し、前記外周は、ほぼ直線状に延在し且つ互いに反対側に配置された少なくとも１つの第１側部（６１）と第２側部（６２）とを有し、前記外周は、前方第３側部（６３）において凸アーチ状の輪郭部を有し、前記第１側部及び前記第２側部への移行部を有し、前記移行部が、接線方向ではなく、ゼロではない角度を有している脛骨プラットフォームインプラントにおいて、
前記外周の後方第４側部は前記第３側部と異なる輪郭部を有することを特徴とする脛骨プラットフォームインプラント。
【請求項２】
前記第１側部（６１）は前記第２側部（６２）より長いことを特徴する請求項１に記載の脛骨プラットフォームインプラント。
【請求項３】
前記第３側部（６３）における前記外周の前記輪郭部は、近位脛骨の面の前方外側の輪郭及び／又は前方内側の輪郭に近似され、特にはほぼ一致することを特徴とする請求項１又は２のいずれか１つに記載の脛骨プラットフォームインプラント。
【請求項４】
前記第３側部（６３）は、前記第１側部（６１）に隣接し且つ前記第１側部と第１角度（６１１）なす第１接線（６６）と、前記第２側部に隣接し且つ前記第２側部と角度（６１２）をなす第２接線（６７）とを有し、前記第１角度は前記第２角度よりも大きいことを特徴とする請求項１から３のいずれか１つに記載の脛骨プラットフォームインプラント。
【請求項５】
前記第１角度は、６５°から９０°の範囲であり、特には７５°から８５°の範囲であり、特には８２°であることを特徴とする請求項４に記載の脛骨プラットフォームインプラント。
【請求項６】
前記第２角度は、４５°未満であり、特には最大で３０°であり、及び／又は前記第２角度は少なくとも１５°であり、特には、前記第２角度は２０°から３０°の範囲であることを特徴とする請求項４又は５の一方に記載の脛骨プラットフォームインプラント。
【請求項７】
前記前方第３側部（６３）の前記輪郭部は円弧を含み、特に全体として円弧の形状であることを特徴とする請求項１から６のいずれか１つに記載の脛骨プラットフォームインプラント。
【請求項８】
前記第３側部は、ほぼ直線状に延在し且つ前記第１側部に隣接して配置された部分（６３１）を含み、前記第３側部においては、凸状に曲げられた輪郭部が特に接線方向に隣接していることを特徴とする請求項１から７のいずれか１つに記載の脛骨プラットフォームインプラント。
【請求項９】
前記第１側部（６１）及び前記第２側部（６２）は平行であることを特徴とする請求項１から８のいずれか１つに記載の脛骨プラットフォームインプラント。
【請求項１０】
前記前方第４側部（６４）は、特に前記第１側部（６１）に隣接して配置され、特に前記第１側部（６１）に垂直に配置された直線部（６４１）を含むことを特徴とする請求項１から９のいずれか１つに記載の脛骨プラットフォームインプラント。
【請求項１１】
前記後方第４側部（６４）は特にアーチ状である凸アーチ状の輪郭部（６４２）を含むことを特徴とする請求項１から１０のいずれか１つに記載の脛骨プラットフォームインプラント。
【請求項１２】
前記後方アーチ状輪郭部は、前記第２側部に接線方向に統合することを特徴とする請求項１１に記載の脛骨プラットフォームインプラント。
【請求項１３】
前記後方アーチ状輪郭部は、端部において、前記第１側部と面しており、前記第１側部に垂直である接線を有していることを特徴とする請求項１１又は１２の一方に記載の脛骨プラットフォームインプラント。
【請求項１４】
前記アーチ状輪郭部の曲率半径（ｒ）は、各ポイントにおいて、少なくも５ｍｍ、特には少なくとも８ｍｍ、さらに特には少なくとも１０ｍｍであることを特徴とする請求項１１から１３のいずれか１つい記載の脛骨プラットフォームインプラント。
【請求項１５】
少なくとも１つの表面（７、８）は凹状であることを特徴とする請求項１から１４のいずれか１つに記載の脛骨プラットフォームインプラント。
【請求項１６】
両表面が同一の鏡面対称の凹形面であることを特徴とする請求項１から１５のいずれか１つに記載の脛骨プラットフォームインプラント。
【請求項１７】
前記表面の１つは専用の関節面（７）として形成され、前記他方の表面は専用の接着面（８）として形成されることを特徴とする請求項１から１５のいずれか１つに記載の脛骨プラットフォームインプラント。
【請求項１８】
前記接着面（８）は隆起部と凹部（８１）とを含む構造を有していることを特徴とする請求項１７に記載の脛骨プラットフォームインプラント。
【請求項１９】
前記インプラントは固着要素を有しておらず、特に固着要素にマッチした形状であることを特徴とする請求項１から１８のいずれか１つに記載の脛骨プラットフォームインプラント。
【請求項２０】
前記インプラントは、ほぼ純粋な前方進入により、対応して準備された脛骨（１）への移植に適していることを特徴とする請求項１から１９のいずれか１つに記載の脛骨プラットフォームインプラント。
【請求項２１】
前記第１表面と前記第２表面との間を測定したインプラントの厚みは、最大で１０ｍｍであることを特徴とする請求項１から２０のいずれか１つに記載の脛骨プラットフォームインプラント。
【発明の詳細な説明】
【背景技術】
【０００１】
本発明は請求項１の前提部に記載された脛骨（tibial）インプラントに関する。さらに、本発明は脛骨プラットフォーム（platform）インプラントを移植する方法に関する。
【０００２】
膝関節形成において、関節の全体の置き換えはしばしば必要でない。例えば、この状況は、変成状態が内側だけ若しくは外側だけに存在する欠陥関節位置又は外傷の結果としてしばしば起こる。このような場合、単顆（monocondylar）すなわち単一区画（unicompartmental）の膝関節インプラントが必要とされる。単顆インプラントの使用は、骨材料の必要な損失分を低くし、手術は低侵襲性手術であり、十字靱帯は全膝関節プロテーゼ（full knee prosthesis）と比較すると弱められない。
【０００３】
これら利点の故に、一部の外科医は、両区画の膝欠陥、特に膝蓋骨に症状がない及び／又は靱帯組織が無傷である状態が関節顆の両区間の欠陥に見つかったときの治療において単一区画インプラントのペア方式（pair wise）移植を使用する。
【０００４】
信頼のある単一区画関節インプラントは、ジンマー（Zimmer）社のアレグレット（ALLEGRETTO）である。脛骨プラトーは、アレグレットの脛骨要素の移植において、一方の側部を切除される。脛骨関節顆の完全な切除はこの処理において行われる。脛骨インプラントは、一方で、固定メカニズムを用いずに移植されて、骨を温存し（できるだけ切開しないようにし）、他方で脛骨の不必要な部分に近位進入し、軟部組織を温存する（できるだけ切開しないようにする）のに寄与する。よって、アレグレット脛骨要素は切除面に置かれ、「アンレー（onlay）」又はアンレーインプラントと称される。アレグレットインプラントの皮質カバーはインプラントのとてもよい安定性を提供する。上記切除は計器を用いて行われ、該計器は、切り込みの再現を確実にし、患者及び外科医についてのリスクを最終的に減じる。インプラントは断面円形部分を有している。インプラントは、関節表面と接着面（cementing surface）とを結合し、該接着面は単一部品として骨に固定するために設けられている。これに関連して、接着側部が金属から形成され且つ関節面がプラスチックから形成された構成が公知である。これは、骨に固定されるほぼ金属製のベースプレートと、プラスチックから形成され且つベースプレートに（ほぼ取り外し自在に）固定されて関節面を提供する半月要素（meniscus）とを有しているインプラント（より大きな高さを有している）とは異なり、単一部材インプラントである。
【０００５】
従来の単一区画膝プロテーゼの利点にもかかわらず、外科手術はより低侵襲性の方に向かっており、骨を再現するインプラントは、該インプラントのサイズをさらに減じ、これに不随して外科手術のさらなる最適化をより必要とする。低侵襲性の進入は、感染のリスクを低減し、回復の期間を早め、一方、プライマリケア（primary care）におけるより低い骨の損失は、修正インプラントの後の移植についての選択肢を残している。
【０００６】
「インレー（inlay）」インプラントは、例えば「ジャーナル・オブ・ボーン・アンド・ジョイント・サージェリ（The Journal of Bone and Joint Surgery）」の第５３Ｂ巻第２号（１９７１年５月発行）から公知である。この処理において、ポケット部が、骨により全ての側部を囲まれた横断面の近位部における脛骨プラトーに形成され、インプラントは該ポケット部にはめ込まれる。皮質骨は理想的には温存される（できるだけ切開されない）。他方、外科医はポケット部の形成において自由に及び深さの制限なしに作業すべきである。これは、外科医のスキル及び切除面の視野をより要求し、特定の方法における最小化した侵襲性のアプローチに矛盾する。同様に、近位進入は、軟部組織に実施する切り込みの無い大腿骨顆により妨害されるので、近位進入は困難である。さらに、インプラントは海綿骨により支持されているだけである。
【０００７】
米国特許第６７８３５５０号は、脛骨要素がプレートの形状で、前方進入により近位及び前方に開口された脛骨プラトーのスリット状切除部に挿入される膝関節インプラントを開示している。プレートの形状は、例えば矩形又はその他の望まれる形状として説明されている。
【０００８】
単顆脛骨インプラントはＰＣＴ国際公開第ＷＯ００／４４３１６号から公知である。該単顆脛骨インプラントは、骨の切除面に固定する脛骨プレートと、関節面を有し且つ該切除面に配置される半月要素とを含んでいる。
【０００９】
同様に、仏国特許第２６８６７９２号に開示されている脛骨インプラントは、ベースプレートと関節のための半月要素とを含んでいる。該インプラントは円形であり、輪郭は前方及び後方において同じ形状である。
【発明の開示】
【００１０】
最小化された侵襲性移植を可能にする最初に説明した種類のインプラントが本明細書において提案される。より詳しくは、インプラントは、該インプラントが近位脛骨にほぼ純粋な前方進入を介して移植されるように説明される。さらなる形態によれば、骨組織の損失は低い。本発明の別の態様によれば、インプラントは、切除された骨の体積が、できる限り完全に満たされるように説明される。これは、基礎となる骨の荷重をできる限り拡散し、インプラントが海綿骨に沈む危険性を防止するのに寄与する。特に、インプラントは、該インプラントが皮質骨組織により少なくとも部分的に支持されるように説明される。これは、該インプラントが、犠牲になった骨組織の代わりに、できる限り多くの有利な効果を達成するように試みることを意味している。さらに別の態様によれば、移植は、移植のために要求される骨の切り込みが計器により再現自在なガイドでなされるように説明される。
【００１１】
請求項１に記載のインプラントは、他の有利な特性に加えてこれら特性を有している。
【００１２】
従って、反対側に配置され且つ関節面及び／又は接着面として設けられた２つの表面を有するプレート状インプラントが説明される。つまり、特に単一部材インプラントは、脛骨の切除面に固定する面と関節面とを有する。これに関連して、インプラントは完全にプラスチックから形成される。これに点については、例えば、インプラントは、両側部は、同一であり且つ関節面及び接着面として機能することができる。別の実施例において、一方の側部は特に接着面として形成され、一方の側面は特に関節面として形成される。別の実施例において、インプラントは、関節面として機能するプラスチック面、特にＰＥ面と、ＰＥ面に堅固に結合された金属側部とを有している。例えば、該金属側部は、粗くブラスト加工されたチタン、ジンマー社より「サルメッシュ（Sulmesh）」又は多孔性の金属構造体の製造のためのジンマー社により開発された技術の「トラベキュラーメタル（Trabecular Metal）」として市販されているようなチタンワイヤメッシュ構造体により形成され、該技術においては、タンタルが多孔性カーボン構造体に蒸発コーティングされる。これら２つの表面の１つの平面図において、インプラントは、ほぼ直線状に延在し且つ両面に配置された少なくとも第１側部と第２側部とを有する境界を有している。これに関連して、第２側部は第１側部より短い。第１側部は、隆起部に隣接して配置されるために、つまり前方後方範囲により、移植されたインプラントを伴う脛骨プラトーの中央に向かって配置されるために設けられる。第２側部は、脛骨プラトーの外側縁部又は内側縁部の方に移植されるために設けられる。よって、第１側部は中央側部と呼ばれ、第２側部は周囲側部と呼ばれ、中央側部及び周囲側部は、インプラントが移植される顆に応じて内側又は外側に存在するようになり得る。境界の第３前方側部は２つの直線側部の間に延在し且つ凸形状を有する。第１側部及び第２側部への第３側部の移行は接線方向ではなく、ゼロではない角度を有し、つまり、角が該移行部に存在し、２若しくは３ミリメータ又は十分小さな半径を有する移行部分も本明細書においては当業者により角として考えられる。なぜなら、第３側部のように、前方輪郭から第１側部及び第２側部への直接及び接線方向の移行が存在しないからである。境界は、第３側部と対向して配置され且つ第１側部と第２側部とを結合する後方第４側部をさらに有する。後方第４側部の輪郭は前方第３側部の輪郭とは異なる。前方第３側部は前方外側境界又は前方内側境界に沿って存在するように設けられる。よって、特に、第３側部は、近位脛骨の平面図の前方外側輪郭及び／若しくは前方内側輪郭に近似された輪郭、又は近位脛骨の平面図の前方外側輪郭及び／若しくは前方内側輪郭にほぼ対応する解剖学的な輪郭を有する。対照的に、本明細書において説明されるインプラントの第４側部は脛骨プラトーにおける機械加工された凹部に一致するように設けられ、該凹部の形状は解剖学的な形態に適合するようには最初に与えられておらず、むしろ骨において容易に形成される形態及び外科医の他の実用的な要望に関する姿勢にされる。
【００１３】
前方第３側部に一致すべき又は近似されるべきである所望の輪郭の決断は、次のようになされる。例えば、類似するサイズの複数の脛骨プラトーがｘ線写真において測定されるか、切除の際に測定され、平均値が求められて、所望の輪郭が決められる。妥当な近似で人間の骨格の全範囲をカバーし得るために、特定のクラス内及び上記の全てのサイズのステージ内においてこの輪郭を変えることが当然必要とされる。
【００１４】
反対側に配置された第１及び第２直線側部は以下において長手方向側部と称される。
【００１５】
反対側に配置された第１側部及び第２側部は、本明細書において説明されるインプラントのある実施例においてほぼ平行であり、別の実施例においては、第１側部及び第２側部は、前方後方範囲において集束（小さな角度で集束）し、２つの側部の間の角度は、好ましくは１０°未満であり、特定の場合には７°未満であり、又は５°未満である。このプロセスにおいて、平行な範囲は、移植の際のダブルマッチング（double matching）問題を防止すること、及び脛骨プラトーの切断部の形成におけるずれに対してより寛容になることに寄与し、前方−後方範囲集束側部を有する実施例は、選択された外科的な技法に応じて外科医にハンドリングにおける利点、例えば、さらなる保持効果を提供し、“圧入効果”が切断部へのくさび状インプラントの打ち込みによって達成され得る。小さなくさび角度は切断部におけるインプラントの摩擦固定をサポートする。
【００１６】
解剖学的に輪郭形成された第３側部は、ある実施例において凸アーチ状の部分を有し、特定の実施例において、凸円形のアーチ状部分を有する。典型的な実施例において、第３側部の全体は弧の一部として形成される。別の実施例において、インプラントの第３側部はほぼ直線の部分を有し、該ほぼ直線の部分は、特にアーチ状部分に加えて配置され、第１側部に隣接している。
【００１７】
この観点において、本発明は、異なるインプラントサイズにおいて前方輪郭の直線部を有する異なるサイズの１組のインプラントを含み、前方輪郭の全体は弧の輪郭から画定される。例えば、小さなサイズのインプラントは前方部においてアーチ状輪郭領域だけを有し、大きなサイズのインプラントは同じインプラントのセット内に直線部をも有する。
【００１８】
インプラントの解剖学的に輪郭形成された第３側部は接線を有し、第１側部及び第２側部に隣接して配置された接線は区別され（別個のものであり）、第１側部に隣接して配置された第１接線は第１側部との第１角度を有し、第２側部に隣接して配置された第２接線は、第２側部との第２角度を有し、第１角度は第２角度より大きい。第１角度は、例えば６５°から９０°の範囲内である。該角度は、特定の場合、少なくとも７５°である。さらなる実施例においては、該角度は最大で８５°である。さらなる実施例において、該角度は８２°である。第２角度は、例えば４５°未満であり、より明確には最大で３０°である。該角度は、例えば少なくとも１５°又は少なくとも２０°であり、より明確な実施例においては２０°から３０°の範囲内である。第１接線と第２接線との間の角度は、例えば、１０°から９０°の範囲内であり、より明確な実施例においては、３０°から６０°又は３０°から７０°の範囲内である。第１側部との第１接線の角度は、インプラントが脛骨プラトーにおける隆起部の側面に対し中心をずらされて移植されることを引き起こし、これらは脛骨の前方輪郭にマッチされるべきであり、よって、インプラントの予め設定された前方−後方姿勢により、脛骨におけるインプラントの位置をほぼ画定する。第２側部への移行部における第２角度は、脛骨のサイズと比較した場合、インプラントの幅についての基準であり、接線方向ではない移行部は、インプラントが脛骨プラトーの外側外周まで到達しないことを画定する。インプラントは、骨物質、特に皮質骨物質が、脛骨プラトーの（内側又は外側の）側部外周部において得られるような大きさに形成される。
【００１９】
さらなる実施例において、後方第４側部の輪郭は、少なくとも１つの直線部分を有し、該直線部は、特に境界の第１側部に隣接しており、該後方第４側部は、脛骨プラトーの中心に面する境界の側部に隣接し且つ第１側部に垂直である。
【００２０】
第４実施例において、後方第４側部は凸アーチ状輪郭を有し、特には、円弧の形状の輪郭を有し、特定の実施例において、第２の長手方向側部より短い側部と統合する。アーチ状輪郭の他端において、該円弧の形状の輪郭は、例えば第１長手方向側部の周囲に配置され、更なる特定の実施例において直線輪郭に統合する接線を有する。後方アーチ状輪郭の曲げ半径は、例えば少なくとも５ｍｍ、特定の場合には少なくとも８ｍｍ、又は少なくとも１０ｍｍであり、丸みのあるすなわち角を削られた角部とは異なる。
【００２１】
インプラントのある実施例において、インプラントの２つの表面の少なくとも一方は、凹状に曲げられるか、凹状に曲げられた領域を持つように形成される。この表面は、関節面として特に適している。この実施例のさらなる発展形においては、両面が、鏡面対称で同じである凹状の幾何学的形態を有している。よって、この種類のインプラントは、右側の脛骨及び左側の脛骨への内側移植並びに外側移植に適している。この処理において、表面の凹状の構造（部）は、移植位置に応じて、関節面又は骨セメントの受け入れのためのポケット部として機能する。
【００２２】
別の実施例において、インプラントは専用の関節面及び専用の接着面を有している。例えば、接着面は隆起部及び凹部を含む構造を有している。
【００２３】
上記において説明されたインプラントは、接着面から突出し且つ骨における固定部にマッチした形状に設けられた差し込み部（spigot）又はウェブ（web）のような固定要素にマッチした形状を有していない。この特徴は、特に、インプラントが、対応する準備をされた脛骨へのほぼ純粋な前方進入による移植に適するようにさせる。この処理において、インプラントは、例えば、脛骨プラトーに加工された切断部に前方から挿入される。準備された切断部は外側及び内側に境界を設けられ、該境界は、ある実施例において、２つの矢状面又は多くても２０°又は２５°まで、しかし少なくとも１５°未満又は１０°未満により横断面における矢状面に対して、すなわち長手軸の周りにわずかに回転された表面により境界を設けられている。切断部の後方境界部は、前方−後方方向において見たとき、脛骨の後方境界部の前にある。つまり骨組織は、後方部において維持されている。切除面の深さの境界、すなわち切断部の遠位部の境界は、横断面により形成される。切断部は、皮質骨を経てガイドされ、前方において自由に進入自在である。その後インプラントは、固定要素にマッチした形状を有していない故に、ほぼ純粋な前方後方動作により脛骨に引き出しのように移植される。インプラントは特に接着される。
【００２４】
最大限の骨の保有を保証するために、関節面及び／又は接着面として使用される２つの表面の間のインプラントのもっとも厚い位置における最大の厚みは、最大で１５ｍｍであり、特定の場合には１０ｍｍ未満である。インプラントの強度を保証するために、インプラントはある実施例における最も薄い位置において少なくとも５ｍｍの最小の厚みを有する。形成されるべき切除部の深さは、インプラントの最大厚みに対応する。
【００２５】
本発明は、図面に示した実施例を参照しつつ以下において詳しく説明される。これに関連して、実施例及び図面は、例示的なものとして理解されるべきであり、特許請求の範囲に記載された発明の限定として使用すべきでない。図面は簡略化されており、すなわち、本発明の理解に必要の無い細部は省略されている。
【発明を実施するための形態】
【００２６】
脛骨１の近位部が図１に示されている。脛骨の関節顆２１及び２２並びに隆起部２３が脛骨プラトー（tibial plateau）を有する脛骨頭部に配置されている。上記において説明した種類のインプラントの移植のために、脛骨プラトーの一部が、脛骨プラトー又は脛骨顆から除去される。当該部分は、外側及び内側切除面３１、３２、前方切除面３３、及び遠位切除面３４により境界を設けられている。近位及び前方において開口し、進入自在な浅い切断部が脛骨に形成される。要求されるステップは、屈曲した状態の膝でほぼ純粋な前方進入、すなわち前方外側又は前方内側進入により行われる。切断部を形成する可能性は、横断面において前方後方送り装置（feed）により互いに隣接してなされる複数の切り込み動作で軸方向に動作するドリル又は切断道具により骨材料を除去することからなる。別の手術においては、切除面３１及び３２は、矢状方向の切り込み、又は例えば前方後方方向において適切な道具により近位遠位方向にガイドされるほぼ矢状方向に伸長する切り込みにより形成される。または、該切除面３１及び３２は、軟部組織を高度に温存する（できるだけ切開しない）屈曲した状態の膝により得られるようになる小さな（低い）近位スペース条件を有する矢状面に伸長する長手方向部若しくは矢状面に対してわずかに幅方向に回転させられた面において形成される。切除面３４は横断面において前方後方に行われる切り込みにより形成され得る。このように画定された骨部の除去の後、例えば図１ａに示した凹部が得られる。切断部は、適切なミル加工工具・機械により形成され、この場合、好ましくは、送り動作はほぼ前方後方において行われる。後方を丸められた図１ｂに示した凹部は、例えばガイドされるミル加工工具・機械、特に横断面においてガイドされ、後方境界のための適切なガイドトラックにおいてさらにガイドされる指型（フィンガータイプ）の道具により形成される。全ての切り込みは適切な切り込みのための計器を用いて適切に行われる。これは、形成されるべき切断部の前方進入、脛骨プラトーの前方エッジにおける切り込みの照合能力（reference capability）の故に非常に容易に可能である。
【００２７】
図２の例においては、図１ｂの説明により切除された脛骨プラトーの近位遠位の図が示されている。脛骨の前方側部及び後方側部は符号Ａ及び符号Ｐによりそれぞれ記されている。脛骨の前方後方軸は符号５で示される。符号２１及び符号２２は脛骨プラトーの顆を示している。隆起部は符号２３で示され、十字靱帯の開始点は符号２４及び符号２５で示される。十字靱帯を維持し、十字靱帯付着部をできる限り弱めることが無傷の十字靱帯組織を有する患者における膝関節を温存する（できるだけ切開しない）ために必然的に望まれ、単顆プロテーゼがこの要求を満たすのに最も適している。隆起部に面する中央切除面３１及び周囲切除面３２は、図２ａにおける前方後方軸に平行に形成される。内側切除面及び外側切除面、すなわち中央切除面及び周囲切除面、並びにこれらに対する後方切除面は、インプラントの幾何学的構造及び選択された外科的技法に応じて変わる。例えば、切除面３１及び３２は平行に形成されるべきとは限らない。外科医は、特に表面同士の間の移行部を丸め、脛骨プラトーにおけるノッチ効果を防止する。特許請求の範囲に記載された内容内に含まれる異なる可能な実施例（これだけに限定されない）は、更なる実施例として以下に示されている。遠位切除面３４は平面図において認識することができる。該遠位切除面３４は海綿骨領域２９及び前方部に皮質骨領域２８を含んでいる。皮質骨組織は後方部及び周囲部、すなわち脛骨プラトーの側部（内側又は外側）の周囲部において維持されている。これによって、横断面において挿入されるべきインプラントのよい固定ができる。
【００２８】
周囲という表現は、本明細書では「脛骨の側部に面する」として理解されるべきであり、これはインプラントの位置に応じて内側又は外側を意味し得る。つまり、インプラントが内側顆に移植されるならば、脛骨の内側部がこれにより理解されるべきである。反対に、インプラントが脛骨の外側顆に移植されるならば、周囲は外側と同様の意味である。同じように、中央という表現は、横断面における隆起部に面する姿勢・位置として理解されるべきである。
【００２９】
図２ｂ及び図２ｃは、インプラントの移植のための切除部が横断面（transverse plane）において角度５１だけ回転されて形成された本発明の実施例を示している。
【００３０】
図３は図１aによる脛骨プラトーの切除部を示している。
【００３１】
図１ｂ及び図２に基づき準備された脛骨への移植に適した典型的なインプラントの平面図が図４に示されている。インプラント６は、第１表面７が見える状態で、平面図として示されている。この平面図におけるインプラントの境界部は、切除面３１及び３２における移植のために設けられた第１側部６１及び第２側部６２を有している。上記において説明された定義によれば、符号６１は隆起部に隣接する移植のために設けられたインプラントの中央側部であり、符号６２は周囲側部である。インプラントの第３側部６３は凸アーチ状範囲を有し、弧の局部半径（local radius）は符号Ｒにより示されている。インプラントの第３前方側部６３は、できる限り解剖学的な形状に形成され、前方周囲領域（すなわち、前方内側領域及び／又は前方外側領域）すなわち切除部が前方において皮質骨を貫通する領域において近位の脛骨又は脛骨プラトーの輪郭にできるだけ近いように近似される。特定の実施例において、弧は円の弧であるか楕円の弧である。別の実施例において、インプラントの前方の輪郭は、複数の異なる半径の円弧及び／又はアーチ状の部分並びにほぼ直線範囲を有する部分からなる。第３側部は２つの特徴的な接線、すなわち第１側部６１に隣接する第１接線６６と第２側部６２に隣接する第２接線６７とを有する。該第１接線６６及び第２接線６７は、第１側部又は第２側部と共に角度６１１及び６１２を形成する。第１接線６６及び第２接線６７とにより角度６１３が形成される。図示した実施例においては、例えば、側部６１及び６２は平行であり、角度６１１は８０°と９０°との間の範囲内であり、角度６１２は約３０°である。角度の範囲は特許請求の範囲に記載されている。第２側部６２との前方輪郭の接線６７を有する角度６１２は、全脛骨プラトーの幅に関係するインプラントの幅に依存することは当業者には自明のことである。本明細書において提案されたインプラントは、幅が脛骨プラトーの外側周囲において骨物質を維持するのに常に十分小さいことにより実際に特徴付けられる。よって、前方第３側部は第２側部に接線方向に統合されない。つまり本明細書において提案されたインプラントにおける角度６１２は、例えば少なくとも１０°又は１５°である。前方側部６３から外側及び／又は内側側部６１及び６２への移行部が丸められているとき、角部の接線６６及び６７は前方輪郭の延長により画定され得る。インプラントの後方側部６４は、直線部６４１とアーチ状部６４２とを含み、該アーチ状部はこの実施例においては、半径ｒを有する円弧であり、第２側部６２及び直線部６４１への接線方向移行部を有している。とりわけ、アーチ状輪郭部は、外科医に切除された凹部においてインプラントを少しだけ回転させることを可能にする。後方において、少なくともほぼ直角に内側第１側部６１に隣接する直線輪郭部は、骨の機械加工を容易にし、インプラントの支持面を増やす。表面７は例えば関節面である。
【００３２】
図５は図４のインプラントによる線Ｖ−Ｖに沿った典型的な切断面を示している。図５ａによる１実施例においては、表面７及び８は鏡面対称で同じ輪郭を有している。よって、表面７及び表面８は関節面として移植され得る。その後、それぞれ両面に配置された凹状のポケット部は、移植において骨セメントの受け入れのために役立つ。
【００３３】
このように形成されたインプラントは右又は左の脛骨における内側移植及び外側移植に適している。これとは異なり、図５ｂに示したインプラントは、凹状の領域を含む関節面７とほぼ平坦な接着面８とを有している。この例においては、インプラントは、ポリエチレン関節要素６８及び固定側部における層６９を有し、該層６９は、例えばチタン、「トラベキュラーメタル（Trabecular Metal）」のような多孔性の「発泡（Foam）」金属、又はジンマー（Zimmer）社により「サルメッシュ（Sulmesh）」として市販されているチタンワイヤメッシュから形成される。しかし、これに関連して、プラスチック及び金属は堅固に結合される。つまり、該インプラントは単一部材（ワンピース）のインプラントである。インプラントの接着面は、図５ｃによるインプラントの実施例において、突起部及び凹部８１を有し、骨セメントとの向上された結合を達成する。図５ｃ及び図５ａに示したインプラントも、単一の材料からなり、当該単一の材料は例えばポリエチレン材料、特に高架橋ポリエチレン、及びαトコフェロールにより安定化された別のポリエチレンからなり、当然図５ｂに示した形状も、例えば、上記ポリエチレン材料の１つから完全に製造され得る。これに関連して、図５の矢状面における断面を示した異なる実施例は、関節面の異なる実施例のための例を示している。関節面は、図５ａ及び図５ｂにおける例については、球状に凹形状に形成され、つまり、関節面は前額面（frontal plane）の断面において所定の輪郭に形成されている。関節面は、図５ｃでは、円柱状に凹状に形成されている。
【００３４】
本明細書において説明され且つ特許請求の範囲に記載されたインプラントの移植は、接着される形態で行われる。ある実施例において、インプラントは、移植のための準備をされた骨に対する結合部に一致した形状に設けられた固定手段を有していない。よって、ほぼ純粋な前方進入により脛骨プラットフォームの切除を行うこと及び前方進入により引き出しの形態（引き出しのように）で脛骨の切断部にインプラントを挿入することが可能である。全ての進入は、ほぼ前方、すなわち前方外側又は前方内側においてほぼ行われ、脛骨への近位進入は要求されないので、靱帯組織及び軟部組織を最大限温存する（できるだけ切開しない）ことができる。屈曲した状態の膝により、大腿骨の切除及び単顆大腿骨要素の移植が同一の前方進入により行われ得る。これは、インプラント及び外科手術の最小化された侵襲アプローチである。
【００３５】
図６は、関節面及び接着面から見たインプラント６の２つの実施例を示している。符号７は関節面を示し、符号８は接着面を示している。骨セメントの受け入れのための凹部８１は異なる構造・形状を有している。
【００３６】
図７は、移植されたインプラント６を有する脛骨１の一例を示している。認識され得るように、インプラント６の前方側部６３は適切な方法により、脛骨プラトーの前方縁部を模倣している（インプラント６の前方側部６３は脛骨プラトーの前方縁部の代替物となっている）。前方領域においては、図２及び図３を合わせて見ると認識され得るように、インプラントは遠位切除面の皮質部分に位置するようになる。よって、インプラントは適切な前方支持部を有する。外科医は、インプラントの所定の内側乃至外側位置により、脛骨の前方輪郭に対する前方インプラントの輪郭の一致を向上させることができ、図２ｂ及び図２ｃ又は図３ｂ及び図３ｃによる切除部の傾いた位置を用いて、インプラントのわずかな回転により脛骨の前方輪郭に対する前方インプラントの輪郭の一致を向上させてもよい。
【００３７】
図８は、上記において説明した種類の通常の形状のインプラントの説明のための幾つかの典型的な寸法の定義（内側長Ｌ１、前方幅ｂＡ、後方幅ｂＰ、前方輪郭長（高さ）Ｈ）を示している。図示した例においては、前方輪郭は直線部６３１及びアーチ状部からなる。該アーチ状部は、位置依存性の半径Ｒ（φ）を通常有し、半径が位置に依存しなければ、当該前方輪郭は円弧である。全ての側部の間の移行部は丸みを付けられている。端部接線６６及び６７は、側部の仮想の交点までの延長により、この交点において画定される。半径ｒを有する丸みを付けられた後方輪郭は点線で示され、第２側部６２及び直線後方輪郭に接線方向に統合される。
【００３８】
特定の実施例は、以下の寸法パラメータを有し、インプラントによる脛骨プラットフォームの前方エッジの解剖学的な輪郭の特によい模倣を達成する。すなわち、インプラントの前方幅は、１６ｍｍから３７ｍｍの範囲であり、特定の場合には３４ｍｍであり、特定の場合には１８ｍｍから３３ｍｍの範囲内であり、例えばインプラントのサイズに依存するインプラント製品群（family）内において異なる。ある実施例において、丸みを付けられた前方輪郭領域は、アーチ状の形状を有し、円の前方弧の半径は１７ｍｍから４０ｍｍの範囲内であり、特定の場合には２４ｍｍから３３ｍｍの範囲内である。円弧の半径に対する前方幅の比は、例えば０．８から１．２の範囲内であり、特定の実施例においては、０．８から１の範囲内である。特定の実施例において、前方幅に対する円弧の前方半径の比は、１から１．３である。輪郭長（高さ）は、３．３ｍｍから３７ｍｍの範囲内であり、特定の場合には１０ｍｍから２５ｍｍであり、さらには１３ｍｍから２０ｍｍである。前方幅に対する輪郭長（高さ）の比は、例えば０．５５から０．７５の範囲内であり、特定の場合には０．６０から０．７０の範囲内である。後方幅は、例えば１０ｍｍから３０ｍｍの範囲内であり、特定の場合には１２ｍｍから２５ｍｍの範囲内であり、さらには１４ｍｍから２２ｍｍの範囲内である。前方幅に対する後方半径の比は、０．６０から０．８５であり、特定の場合には０．６５から０．７８である。インプラント長は、３０ｍｍから６０ｍｍの範囲内であり、特定の場合には３５ｍｍから５７ｍｍ又は３５ｍｍから５５ｍｍの範囲内である。後方幅に対するインプラント長の比は約１．７から１．９の範囲内である。
【００３９】
ある実施例において、インプラントの解剖学的な側部６３は、円弧及び直線状に伸長し且つ第１側部に隣接して配置された部分６３１により形成される。直線状に伸長するこの部分の長さは、約４ｍｍから１０ｍｍの範囲内である。特に、第１側部における第３側部の端部接線は、６５°から９０°の範囲内の第１側部との角度を有し、この角度は、７５°又は８０°から８５°の範囲内であり、特定の場合には８２°である。特に、第２側部における端部接線は、１０°から約３５°の範囲内の該第２側部との角度を有する。
【００４０】
典型的な１組のインプラントは、異なるサイズのインプラントを含んでおり、前方幅は、例えば１６ｍｍから３３ｍｍ、特定の場合には１９ｍｍから３３ｍｍの範囲内である。前方幅に対する円弧の前方半径の比は、１から１．３０の範囲内において変化し、特定の実施例において、この比は、最も小さいインプラントサイズから最も大きいインプラントサイズに減少する。前方幅に対する後方長の比は、０．６から０．７の範囲内である。前方幅に対する後方半径の比は、０．６５から０．８の範囲内であり、前方幅に対する長さの比は、１．６５から１．９の範囲内である。これらの全ての比によると、最も大きな値は、最も小さなインプラントサイズにより起こり、最も小さな値は、最も大きなインプラントサイズにより起こる。ある実施例において、前方輪郭部は、最も小さなインプラントサイズにおいては、連続して曲げられており、大きなインプラントサイズにおいては、直線状の前方アーチ状領域をも有している。中央第１側部における前方輪郭の接線の中央第１側部との角度は、８０°から８５°の範囲内であり、特定の場合には８２°であり、さらに特定の場合には、全てのインプラントサイズのためのインプラントセット内において一定である。
［４１］ある実施例においては、インプラントは、ポリエチレン、特に高度に架橋されたポリエチレン、及び／又は超高分子ポリエチレンから形成される。さらなる発展形においては、ポリエチレンはαトコフォロール（ビタミンＥ）をドープされている。ある実施例において、２つの表面の間のインプラントの厚みは、いかなる点においても５ｍｍ未満ではない。この実施例のさらなる発展形においては、インプラントの厚みは、いかなる点においても１５ｍｍより厚くなく、最大の厚みは、例えば、最大で１３ｍｍ、１０ｍｍ、又は８ｍｍまでの範囲内である。
［４２］本明細書においてなされた説明の観点から、特許請求の範囲に記載されたインプラントのさらなる実施例は当業者には明らかであり、該さらなる実施例は本明細書においては明らかには示されていない。
【符号の説明】
【００４１】
１  脛骨
２  脛骨頭部
５  前方−後方軸
６  インプラント
７  第１表面、関節面
８  第２表面、接着面
２１  関節顆
２２  関節顆
２３  隆起部
２４  前方十字靱帯の接着点
２５  後方十字靱帯の接着点
２８  皮質骨
２９  海綿骨
３１  中央側部（内側又は外側）の切除面
３２  周囲側部（内側又は外側）の切除面
３３  前方切除面
３４  遠位切除面
５１  前方−後方軸に対する移植軸の角度
６１  インプラントの第１中央（内側又は外側）側部
６２  インプラントの第２周囲（内側又は外側）側部
６３  インプラントの前方側部
６４  インプラントの後方側部
６６  前方輪郭の第１（中央）接線
６７  前方輪郭の第２（周囲）接線
８１  骨セメントの受け入れのための凹部
６１１  第１接線と第１側部との間の角度
６１２  第２接線と第２側部との間の角度
６１３  第１接線と第２接線との間の角度
６３１  前方直線輪郭領域
６４１  後方直線輪郭領域
６４２  後方曲線輪郭領域
Ａ  前方
Ｐ  後方
Ｒ  前方弧半径
ｒ  後方弧半径
Ｌ１  中央幅
ｂＡ  前方幅
ｂＰ  後方幅
【図１】
2009525095.tif 000003
【図２】
2009525095.tif 000004
【図３】
2009525095.tif 000005
【図４】
2009525095.tif 000006
【図５】
2009525095.tif 000007
【図６】
2009525095.tif 000008
【図７】
2009525095.tif 000009
【図８】
2009525095.tif 000010
【手続補正書】
【提出日】平成19年11月30日(2007.11.30)
【手続補正１】
【補正対象書類名】特許請求の範囲
【補正対象項目名】請求項１
【補正方法】変更
【補正の内容】
【請求項１】
２つの表面（７、８）を含む単一部材脛骨プラットフォームインレーインプラントであって、前記２つの表面は互いに反対になるように両面に配置され、前記２つの表面の少なくとも一方の表面は少なくとも関節面として設けられ、少なくとも他方の表面は少なくとも接着面として設けられ、前記インプラントは、前記２つの表面の一方の面において外周を有し、前記外周は、ほぼ直線状に延在し且つ互いに反対側に配置された少なくとも１つの第１側部（６１）と第２側部（６２）とを有し、前記外周は、前方第３側部（６３）において凸アーチ状の輪郭部を有し、前記第１側部及び前記第２側部への移行部を有し、前記移行部が、接線方向ではなく、ゼロではない角度を有している単一部材脛骨プラットフォームインレーインプラントにおいて、
前記外周の後方第４側部は前記第３側部と異なる輪郭部を有することを特徴とする単一部材脛骨プラットフォームインレーインプラント。
【手続補正２】
【補正対象書類名】特許請求の範囲
【補正対象項目名】請求項２
【補正方法】変更
【補正の内容】
【請求項２】
前記第１側部（６１）は前記第２側部（６２）より長いことを特徴する請求項１に記載の脛骨プラットフォームインプラント。
【手続補正３】
【補正対象書類名】特許請求の範囲
【補正対象項目名】請求項３
【補正方法】変更
【補正の内容】
【請求項３】
前記第３側部（６３）における前記外周の前記輪郭部は、近位脛骨の面の前方外側の輪郭及び／又は前方内側の輪郭に近似され、特にはほぼ一致することを特徴とする請求項１又は２のいずれか１つに記載の脛骨プラットフォームインプラント。
【手続補正４】
【補正対象書類名】特許請求の範囲
【補正対象項目名】請求項４
【補正方法】変更
【補正の内容】
【請求項４】
前記第３側部（６３）は、前記第１側部（６１）に隣接し且つ前記第１側部と第１角度（６１１）なす第１接線（６６）と、前記第２側部に隣接し且つ前記第２側部と角度（６１２）をなす第２接線（６７）とを有し、前記第１角度は前記第２角度よりも大きいことを特徴とする請求項１から３のいずれか１つに記載の脛骨プラットフォームインプラント。
【手続補正書】
【提出日】平成20年10月1日(2008.10.1)
【手続補正１】
【補正対象書類名】特許請求の範囲
【補正対象項目名】全文
【補正方法】変更
【補正の内容】
【特許請求の範囲】
【請求項１】
２つの表面（７、８）を含む単一部材脛骨プラットフォームインレーインプラントであって、前記２つの表面は互いに反対になるように両面に配置され、前記２つの表面の少なくとも一方の表面は少なくとも関節面として設けられ、少なくとも他方の表面は少なくとも接着面として設けられ、前記インプラントは、前記２つの表面の一方の面において外周を有し、前記外周は、ほぼ直線状に延在し且つ互いに反対側に配置された少なくとも１つの第１側部（６１）と第２側部（６２）とを有し、前記外周は、前方第３側部（６３）において凸アーチ状の輪郭部を有し、前記第１側部及び前記第２側部への移行部を有し、前記移行部は接線方向ではなく、ゼロではない角度を有している単一部材脛骨プラットフォームインレーインプラントにおいて、
前記外周の後方の第４側部は前記第３側部と異なる輪郭部を有することを特徴とする単一部材脛骨プラットフォームインレーインプラント。
【請求項２】
前記第１側部（６１）は前記第２側部（６２）より長いことを特徴する請求項１に記載の脛骨プラットフォームインプラント。
【請求項３】
前記第３側部（６３）における前記外周の前記輪郭部は、近位脛骨の面の前方外側の輪郭及び／又は前方内側の輪郭に近似され、特にはほぼ一致することを特徴とする請求項１又は２のいずれか１つに記載の脛骨プラットフォームインプラント。
【請求項４】
前記前方第３側部（６３）の前記輪郭部は円弧を含み、特に全体として円弧の形状であることを特徴とする請求項１から３のいずれか１つに記載の脛骨プラットフォームインプラント。
【請求項５】
前記第３側部は、ほぼ直線状に延在し且つ前記第１側部に隣接して配置された部分（６３１）を含み、前記第３側部においては、凸状に曲げられた輪郭部が特に接線方向に隣接していることを特徴とする請求項１から４のいずれか１つに記載の脛骨プラットフォームインプラント。
【請求項６】
前記第１側部（６１）及び前記第２側部（６２）は平行であることを特徴とする請求項１から５のいずれか１つに記載の脛骨プラットフォームインプラント。
【請求項７】
前記前方第４側部（６４）は、特に前記第１側部（６１）に隣接して配置され、特に前記第１側部（６１）に垂直に配置された直線部（６４１）を含むことを特徴とする請求項１から６のいずれか１つに記載の脛骨プラットフォームインプラント。
【請求項８】
前記後方第４側部（６４）は特にアーチ状である凸アーチ状の輪郭部（６４２）を含むことを特徴とする請求項１から７のいずれか１つに記載の脛骨プラットフォームインプラント。
【請求項９】
少なくとも１つの表面（７、８）は凹状面であることを特徴とする請求項１から８のいずれか１つに記載の脛骨プラットフォームインプラント。
【請求項１０】
両表面が同一の鏡面対称の凹状であることを特徴とする請求項１から９のいずれか１つに記載の脛骨プラットフォームインプラント。
【請求項１１】
前記表面の１つは専用の関節面（７）として形成され、前記他方の表面は専用の接着面（８）として形成されることを特徴とすることを特徴とする請求項１から１０のいずれか１つに記載の脛骨プラットフォームインプラント。
【請求項１２】
前記接着面（８）は隆起部と凹部（８１）とを含む構造を有していることを特徴とする請求項１１に記載の脛骨プラットフォームインプラント。
【請求項１３】
前記インプラントは固着要素を有しておらず、特に固着要素にマッチした形状であることを特徴とする請求項１から１２のいずれか１つに記載の脛骨プラットフォームインプラント。
【請求項１４】
前記インプラントは、ほぼ純粋な前方進入により、対応して準備された脛骨（１）への移植に適していることを特徴とする請求項１から１３のいずれか１つに記載の脛骨プラットフォームインプラント。
【請求項１５】
前記第１表面と前記第２表面との間を測定したインプラントの厚みは、最大で１０ｍｍであることを特徴とする請求項１から１４のいずれか１つに記載の脛骨プラットフォームインプラント。
【手続補正２】
【補正対象書類名】明細書
【補正対象項目名】全文
【補正方法】変更
【補正の内容】
【発明の詳細な説明】
【背景技術】
【０００１】
本発明は請求項１の前提部に記載された脛骨（tibial）インプラントに関する。さらに
、本発明は脛骨プラットフォーム（platform）インプラントを移植する方法に関する。
【０００２】
膝関節形成において、関節の全体の置き換えはしばしば必要でない。例えば、この状況
は、変成状態が内側だけ若しくは外側だけに存在する欠陥関節位置又は外傷の結果として
しばしば起こる。このような場合、単顆（monocondylar）すなわち単一区画（unicompart
mental）の膝関節インプラントが必要とされる。単顆インプラントの使用は、骨材料の必
要な損失分を低くし、手術は低侵襲性手術であり、十字靱帯は全膝関節プロテーゼ（full
knee prosthesis）と比較すると弱められない。
【０００３】
これら利点の故に、一部の外科医は、両区画の膝欠陥、特に膝蓋骨に症状がない及び／
又は靱帯組織が無傷である状態が関節顆の両区間の欠陥に見つかったときの治療において
単一区画インプラントのペア方式（pair wise）移植を使用する。
【０００４】
信頼のある単一区画関節インプラントは、ジンマー（Zimmer）社のアレグレット（ALLE
GRETTO）である。脛骨プラトーは、アレグレットの脛骨要素の移植において、一方の側部
を切除される。脛骨関節顆の完全な切除はこの処理において行われる。脛骨インプラント
は、一方で、固定メカニズムを用いずに移植されて、骨を温存し（できるだけ切開しない
ようにし）、他方で脛骨の不必要な部分に近位進入し、軟部組織を温存する（できるだけ
切開しないようにする）のに寄与する。よって、アレグレット脛骨要素は切除面に置かれ
、「アンレー（onlay）」又はアンレーインプラントと称される。アレグレットインプラ
ントの皮質カバーはインプラントのとてもよい安定性を提供する。上記切除は計器を用い
て行われ、該計器は、切り込みの再現を確実にし、患者及び外科医についてのリスクを最
終的に減じる。インプラントは断面円形部分を有している。インプラントは、関節表面と
接着面（cementing surface）とを結合し、該接着面は単一部品として骨に固定するため
に設けられている。これに関連して、接着側部が金属から形成され且つ関節面がプラスチ
ックから形成された構成が公知である。これは、骨に固定されるほぼ金属製のベースプレ
ートと、プラスチックから形成され且つベースプレートに（ほぼ取り外し自在に）固定さ
れて関節面を提供する半月要素（meniscus）とを有しているインプラント（より大きな高
さを有している）とは異なり、単一部材インプラントである。
【０００５】
従来の単一区画膝プロテーゼの利点にもかかわらず、外科手術はより低侵襲性の方に向
かっており、骨を再現するインプラントは、該インプラントのサイズをさらに減じ、これ
に不随して外科手術のさらなる最適化をより必要とする。低侵襲性の進入は、感染のリス
クを低減し、回復の期間を早め、一方、プライマリケア（primary care）におけるより低
い骨の損失は、修正インプラントの後の移植についての選択肢を残している。
【０００６】
「インレー（inlay）」インプラントは、例えば「ジャーナル・オブ・ボーン・アンド
・ジョイント・サージェリ（The Journal of Bone and Joint Surgery）」の第５３Ｂ巻
第２号（１９７１年５月発行）から公知である。この処理において、ポケット部が、骨に
より全ての側部を囲まれた横断面の近位部における脛骨プラトーに形成され、インプラン
トは該ポケット部にはめ込まれる。皮質骨は理想的には温存される（できるだけ切開され
ない）。他方、外科医はポケット部の形成において自由に及び深さの制限なしに作業すべ
きである。これは、外科医のスキル及び切除面の視野をより要求し、特定の方法における
最小化した侵襲性のアプローチに矛盾する。同様に、近位進入は、軟部組織に実施する切
り込みの無い大腿骨顆により妨害されるので、近位進入は困難である。さらに、インプラ
ントは海綿骨により支持されているだけである。
【０００７】
米国特許第６７８３５５０号は、脛骨要素がプレートの形状で、前方進入により近位及
び前方に開口された脛骨プラトーのスリット状切除部に挿入される膝関節インプラントを
開示している。プレートの形状は、例えば矩形又はその他の望まれる形状として説明され
ている。
【０００８】
単顆脛骨インプラントはＰＣＴ国際公開第ＷＯ００／４４３１６号から公知である。該
単顆脛骨インプラントは、骨の切除面に固定する脛骨プレートと、関節面を有し且つ該切
除面に配置される半月要素とを含んでいる。
【０００９】
同様に、仏国特許第２６８６７９２号に開示されている脛骨インプラントは、ベースプ
レートと関節のための半月要素とを含んでいる。該インプラントは円形であり、輪郭は前
方及び後方において同じ形状である。
【発明の開示】
【００１０】
最小化された侵襲性移植を可能にする最初に説明した種類のインプラントが本明細書に
おいて提案される。より詳しくは、インプラントは、該インプラントが近位脛骨にほぼ純
粋な前方進入を介して移植されるように説明される。さらなる形態によれば、骨組織の損
失は低い。本発明の別の態様によれば、インプラントは、切除された骨の体積が、できる
限り完全に満たされるように説明される。これは、基礎となる骨の荷重をできる限り拡散
し、インプラントが海綿骨に沈む危険性を防止するのに寄与する。特に、インプラントは
、該インプラントが皮質骨組織により少なくとも部分的に支持されるように説明される。
これは、該インプラントが、犠牲になった骨組織の代わりに、できる限り多くの有利な効
果を達成するように試みることを意味している。さらに別の態様によれば、移植は、移植
のために要求される骨の切り込みが計器により再現自在なガイドでなされるように説明さ
れる。
【００１１】
請求項１に記載のインプラントは、他の有利な特性に加えてこれら特性を有している。
【００１２】
従って、反対側に配置され且つ関節面及び／又は接着面として設けられた２つの表面を
有するプレート状インプラントが説明される。つまり、特に単一部材インプラントは、脛
骨の切除面に固定する面と関節面とを有する。これに関連して、インプラントは完全にプ
ラスチックから形成される。これに点については、例えば、インプラントは、両側部は、
同一であり且つ関節面及び接着面として機能することができる。別の実施例において、一
方の側部は特に接着面として形成され、一方の側面は特に関節面として形成される。別の
実施例において、インプラントは、関節面として機能するプラスチック面、特にＰＥ面と
、ＰＥ面に堅固に結合された金属側部とを有している。例えば、該金属側部は、粗くブラ
スト加工されたチタン、ジンマー社より「サルメッシュ（Sulmesh）」又は多孔性の金属
構造体の製造のためのジンマー社により開発された技術の「トラベキュラーメタル（Trab
ecular Metal）」として市販されているようなチタンワイヤメッシュ構造体により形成さ
れ、該技術においては、タンタルが多孔性カーボン構造体に蒸発コーティングされる。こ
れら２つの表面の１つの平面図において、インプラントは、ほぼ直線状に延在し且つ両面
に配置された少なくとも第１側部と第２側部とを有する境界を有している。これに関連し
て、第２側部は第１側部より短い。第１側部は、隆起部に隣接して配置されるために、つ
まり前方後方範囲により、移植されたインプラントを伴う脛骨プラトーの中央に向かって
配置されるために設けられる。第２側部は、脛骨プラトーの外側縁部又は内側縁部の方に
移植されるために設けられる。よって、第１側部は中央側部と呼ばれ、第２側部は周囲側
部と呼ばれ、中央側部及び周囲側部は、インプラントが移植される顆に応じて内側又は外
側に存在するようになり得る。境界の第３前方側部は２つの直線側部の間に延在し且つ凸
形状を有する。第１側部及び第２側部への第３側部の移行は接線方向ではなく、ゼロでは
ない角度を有し、つまり、角が該移行部に存在し、２若しくは３ミリメータ又は十分小さ
な半径を有する移行部分も本明細書においては当業者により角として考えられる。なぜな
ら、第３側部のように、前方輪郭から第１側部及び第２側部への直接及び接線方向の移行
が存在しないからである。境界は、第３側部と対向して配置され且つ第１側部と第２側部
とを結合する後方第４側部をさらに有する。後方第４側部の輪郭は前方第３側部の輪郭と
は異なる。前方第３側部は前方外側境界又は前方内側境界に沿って存在するように設けら
れる。よって、特に、第３側部は、近位脛骨の平面図の前方外側輪郭及び／若しくは前方
内側輪郭に近似された輪郭、又は近位脛骨の平面図の前方外側輪郭及び／若しくは前方内
側輪郭にほぼ対応する解剖学的な輪郭を有する。対照的に、本明細書において説明される
インプラントの第４側部は脛骨プラトーにおける機械加工された凹部に一致するように設
けられ、該凹部の形状は解剖学的な形態に適合するようには最初に与えられておらず、む
しろ骨において容易に形成される形態及び外科医の他の実用的な要望に関する姿勢にされ
る。
【００１３】
前方第３側部に一致すべき又は近似されるべきである所望の輪郭の決断は、次のように
なされる。例えば、類似するサイズの複数の脛骨プラトーがｘ線写真において測定される
か、切除の際に測定され、平均値が求められて、所望の輪郭が決められる。妥当な近似で
人間の骨格の全範囲をカバーし得るために、特定のクラス内及び上記の全てのサイズのス
テージ内においてこの輪郭を変えることが当然必要とされる。
【００１４】
反対側に配置された第１及び第２直線側部は以下において長手方向側部と称される。
【００１５】
反対側に配置された第１側部及び第２側部は、本明細書において説明されるインプラン
トのある実施例においてほぼ平行であり、別の実施例においては、第１側部及び第２側部
は、前方後方範囲において集束（小さな角度で集束）し、２つの側部の間の角度は、好ま
しくは１０°未満であり、特定の場合には７°未満であり、又は５°未満である。このプ
ロセスにおいて、平行な範囲は、移植の際のダブルマッチング（double matching）問題
を防止すること、及び脛骨プラトーの切断部の形成におけるずれに対してより寛容になる
ことに寄与し、前方−後方範囲集束側部を有する実施例は、選択された外科的な技法に応
じて外科医にハンドリングにおける利点、例えば、さらなる保持効果を提供し、“圧入効
果”が切断部へのくさび状インプラントの打ち込みによって達成され得る。小さなくさび
角度は切断部におけるインプラントの摩擦固定をサポートする。
【００１６】
解剖学的に輪郭形成された第３側部は、ある実施例において凸アーチ状の部分を有し、
特定の実施例において、凸円形のアーチ状部分を有する。典型的な実施例において、第３
側部の全体は弧の一部として形成される。別の実施例において、インプラントの第３側部
はほぼ直線の部分を有し、該ほぼ直線の部分は、特にアーチ状部分に加えて配置され、第
１側部に隣接している。
【００１７】
この観点において、本発明は、異なるインプラントサイズにおいて前方輪郭の直線部を
有する異なるサイズの１組のインプラントを含み、前方輪郭の全体は弧の輪郭から画定さ
れる。例えば、小さなサイズのインプラントは前方部においてアーチ状輪郭領域だけを有
し、大きなサイズのインプラントは同じインプラントのセット内に直線部をも有する。
【００１８】
インプラントの解剖学的に輪郭形成された第３側部は接線を有し、第１側部及び第２側
部に隣接して配置された接線は区別され（別個のものであり）、第１側部に隣接して配置
された第１接線は第１側部との第１角度を有し、第２側部に隣接して配置された第２接線
は、第２側部との第２角度を有し、第１角度は第２角度より大きい。第１角度は、例えば
６５°から９０°の範囲内である。該角度は、特定の場合、少なくとも７５°である。さ
らなる実施例においては、該角度は最大で８５°である。さらなる実施例において、該角
度は８２°である。第２角度は、例えば４５°未満であり、より明確には最大で３０°で
ある。該角度は、例えば少なくとも１５°又は少なくとも２０°であり、より明確な実施
例においては２０°から３０°の範囲内である。第１接線と第２接線との間の角度は、例
えば、１０°から９０°の範囲内であり、より明確な実施例においては、３０°から６０
°又は３０°から７０°の範囲内である。第１側部との第１接線の角度は、インプラント
が脛骨プラトーにおける隆起部の側面に対し中心をずらされて移植されることを引き起こ
し、これらは脛骨の前方輪郭にマッチされるべきであり、よって、インプラントの予め設
定された前方−後方姿勢により、脛骨におけるインプラントの位置をほぼ画定する。第２
側部への移行部における第２角度は、脛骨のサイズと比較した場合、インプラントの幅に
ついての基準であり、接線方向ではない移行部は、インプラントが脛骨プラトーの外側外
周まで到達しないことを画定する。インプラントは、骨物質、特に皮質骨物質が、脛骨プ
ラトーの（内側又は外側の）側部外周部において得られるような大きさに形成される。
【００１９】
さらなる実施例において、後方第４側部の輪郭は、少なくとも１つの直線部分を有し、
該直線部は、特に境界の第１側部に隣接しており、該後方第４側部は、脛骨プラトーの中
心に面する境界の側部に隣接し且つ第１側部に垂直である。
【００２０】
第４実施例において、後方第４側部は凸アーチ状輪郭を有し、特には、円弧の形状の輪
郭を有し、特定の実施例において、第２の長手方向側部より短い側部と統合する。アーチ
状輪郭の他端において、該円弧の形状の輪郭は、例えば第１長手方向側部の周囲に配置さ
れ、更なる特定の実施例において直線輪郭に統合する接線を有する。後方アーチ状輪郭の
曲げ半径は、例えば少なくとも５ｍｍ、特定の場合には少なくとも８ｍｍ、又は少なくと
も１０ｍｍであり、丸みのあるすなわち角を削られた角部とは異なる。
【００２１】
インプラントのある実施例において、インプラントの２つの表面の少なくとも一方は、
凹状に曲げられるか、凹状に曲げられた領域を持つように形成される。この表面は、関節
面として特に適している。この実施例のさらなる発展形においては、両面が、鏡面対称で
同じである凹状の幾何学的形態を有している。よって、この種類のインプラントは、右側
の脛骨及び左側の脛骨への内側移植並びに外側移植に適している。この処理において、表
面の凹状の構造（部）は、移植位置に応じて、関節面又は骨セメントの受け入れのための
ポケット部として機能する。
【００２２】
別の実施例において、インプラントは専用の関節面及び専用の接着面を有している。例
えば、接着面は隆起部及び凹部を含む構造を有している。
【００２３】
上記において説明されたインプラントは、接着面から突出し且つ骨における固定部にマ
ッチした形状に設けられた差し込み部（spigot）又はウェブ（web）のような固定要素に
マッチした形状を有していない。この特徴は、特に、インプラントが、対応する準備をさ
れた脛骨へのほぼ純粋な前方進入による移植に適するようにさせる。この処理において、
インプラントは、例えば、脛骨プラトーに加工された切断部に前方から挿入される。準備
された切断部は外側及び内側に境界を設けられ、該境界は、ある実施例において、２つの
矢状面又は多くても２０°又は２５°まで、しかし少なくとも１５°未満又は１０°未満
により横断面における矢状面に対して、すなわち長手軸の周りにわずかに回転された表面
により境界を設けられている。切断部の後方境界部は、前方−後方方向において見たとき
、脛骨の後方境界部の前にある。つまり骨組織は、後方部において維持されている。切除
面の深さの境界、すなわち切断部の遠位部の境界は、横断面により形成される。切断部は
、皮質骨を経てガイドされ、前方において自由に進入自在である。その後インプラントは
、固定要素にマッチした形状を有していない故に、ほぼ純粋な前方後方動作により脛骨に
引き出しのように移植される。インプラントは特に接着される。
【００２４】
最大限の骨の保有を保証するために、関節面及び／又は接着面として使用される２つの
表面の間のインプラントのもっとも厚い位置における最大の厚みは、最大で１５ｍｍであ
り、特定の場合には１０ｍｍ未満である。インプラントの強度を保証するために、インプ
ラントはある実施例における最も薄い位置において少なくとも５ｍｍの最小の厚みを有す
る。形成されるべき切除部の深さは、インプラントの最大厚みに対応する。
【００２５】
本発明は、図面に示した実施例を参照しつつ以下において詳しく説明される。これに関
連して、実施例及び図面は、例示的なものとして理解されるべきであり、特許請求の範囲
に記載された発明の限定として使用すべきでない。図面は簡略化されており、すなわち、
本発明の理解に必要の無い細部は省略されている。
【発明を実施するための形態】
【００２６】
脛骨１の近位部が図１に示されている。脛骨の関節顆２１及び２２並びに隆起部２３が
脛骨プラトー（tibial plateau）を有する脛骨頭部に配置されている。上記において説明
した種類のインプラントの移植のために、脛骨プラトーの一部が、脛骨プラトー又は脛骨
顆から除去される。当該部分は、外側及び内側切除面３１、３２、前方切除面３３、及び
遠位切除面３４により境界を設けられている。近位及び前方において開口し、進入自在な
浅い切断部が脛骨に形成される。要求されるステップは、屈曲した状態の膝でほぼ純粋な
前方進入、すなわち前方外側又は前方内側進入により行われる。切断部を形成する可能性
は、横断面において前方後方送り装置（feed）により互いに隣接してなされる複数の切り
込み動作で軸方向に動作するドリル又は切断道具により骨材料を除去することからなる。
別の手術においては、切除面３１及び３２は、矢状方向の切り込み、又は例えば前方後方
方向において適切な道具により近位遠位方向にガイドされるほぼ矢状方向に伸長する切り
込みにより形成される。または、該切除面３１及び３２は、軟部組織を高度に温存する（
できるだけ切開しない）屈曲した状態の膝により得られるようになる小さな（低い）近位
スペース条件を有する矢状面に伸長する長手方向部若しくは矢状面に対してわずかに幅方
向に回転させられた面において形成される。切除面３４は横断面において前方後方に行わ
れる切り込みにより形成され得る。このように画定された骨部の除去の後、例えば図１ａ
に示した凹部が得られる。切断部は、適切なミル加工工具・機械により形成され、この場
合、好ましくは、送り動作はほぼ前方後方において行われる。後方を丸められた図１ｂに
示した凹部は、例えばガイドされるミル加工工具・機械、特に横断面においてガイドされ
、後方境界のための適切なガイドトラックにおいてさらにガイドされる指型（フィンガー
タイプ）の道具により形成される。全ての切り込みは適切な切り込みのための計器を用い
て適切に行われる。これは、形成されるべき切断部の前方進入、脛骨プラトーの前方エッ
ジにおける切り込みの照合能力（reference capability）の故に非常に容易に可能である
。
【００２７】
図２の例においては、図１ｂの説明により切除された脛骨プラトーの近位遠位の図が示
されている。脛骨の前方側部及び後方側部は符号Ａ及び符号Ｐによりそれぞれ記されてい
る。脛骨の前方後方軸は符号５で示される。符号２１及び符号２２は脛骨プラトーの顆を
示している。隆起部は符号２３で示され、十字靱帯の開始点は符号２４及び符号２５で示
される。十字靱帯を維持し、十字靱帯付着部をできる限り弱めることが無傷の十字靱帯組
織を有する患者における膝関節を温存する（できるだけ切開しない）ために必然的に望ま
れ、単顆プロテーゼがこの要求を満たすのに最も適している。隆起部に面する中央切除面
３１及び周囲切除面３２は、図２ａにおける前方後方軸に平行に形成される。内側切除面
及び外側切除面、すなわち中央切除面及び周囲切除面、並びにこれらに対する後方切除面
は、インプラントの幾何学的構造及び選択された外科的技法に応じて変わる。例えば、切
除面３１及び３２は平行に形成されるべきとは限らない。外科医は、特に表面同士の間の
移行部を丸め、脛骨プラトーにおけるノッチ効果を防止する。特許請求の範囲に記載され
た内容内に含まれる異なる可能な実施例（これだけに限定されない）は、更なる実施例と
して以下に示されている。遠位切除面３４は平面図において認識することができる。該遠
位切除面３４は海綿骨領域２９及び前方部に皮質骨領域２８を含んでいる。皮質骨組織は
後方部及び周囲部、すなわち脛骨プラトーの側部（内側又は外側）の周囲部において維持
されている。これによって、横断面において挿入されるべきインプラントのよい固定がで
きる。
【００２８】
周囲という表現は、本明細書では「脛骨の側部に面する」として理解されるべきであり
、これはインプラントの位置に応じて内側又は外側を意味し得る。つまり、インプラント
が内側顆に移植されるならば、脛骨の内側部がこれにより理解されるべきである。反対に
、インプラントが脛骨の外側顆に移植されるならば、周囲は外側と同様の意味である。同
じように、中央という表現は、横断面における隆起部に面する姿勢・位置として理解され
るべきである。
【００２９】
図２ｂ及び図２ｃは、インプラントの移植のための切除部が横断面（transverse plane
）において角度５１だけ回転されて形成された本発明の実施例を示している。
【００３０】
図３は図１aによる脛骨プラトーの切除部を示している。
【００３１】
図１ｂ及び図２に基づき準備された脛骨への移植に適した典型的なインプラントの平面
図が図４に示されている。インプラント６は、第１表面７が見える状態で、平面図として
示されている。この平面図におけるインプラントの境界部は、切除面３１及び３２におけ
る移植のために設けられた第１側部６１及び第２側部６２を有している。上記において説
明された定義によれば、符号６１は隆起部に隣接する移植のために設けられたインプラン
トの中央側部であり、符号６２は周囲側部である。インプラントの第３側部６３は凸アー
チ状範囲を有し、弧の局部半径（local radius）は符号Ｒにより示されている。インプラ
ントの第３前方側部６３は、できる限り解剖学的な形状に形成され、前方周囲領域（すな
わち、前方内側領域及び／又は前方外側領域）すなわち切除部が前方において皮質骨を貫
通する領域において近位の脛骨又は脛骨プラトーの輪郭にできるだけ近いように近似され
る。特定の実施例において、弧は円の弧であるか楕円の弧である。別の実施例において、
インプラントの前方の輪郭は、複数の異なる半径の円弧及び／又はアーチ状の部分並びに
ほぼ直線範囲を有する部分からなる。第３側部は２つの特徴的な接線、すなわち第１側部
６１に隣接する第１接線６６と第２側部６２に隣接する第２接線６７とを有する。該第１
接線６６及び第２接線６７は、第１側部又は第２側部と共に角度６１１及び６１２を形成
する。第１接線６６及び第２接線６７とにより角度６１３が形成される。図示した実施例
においては、例えば、側部６１及び６２は平行であり、角度６１１は８０°と９０°との
間の範囲内であり、角度６１２は約３０°である。角度の範囲は特許請求の範囲に記載さ
れている。第２側部６２との前方輪郭の接線６７を有する角度６１２は、全脛骨プラトー
の幅に関係するインプラントの幅に依存することは当業者には自明のことである。本明細
書において提案されたインプラントは、幅が脛骨プラトーの外側周囲において骨物質を維
持するのに常に十分小さいことにより実際に特徴付けられる。よって、前方第３側部は第
２側部に接線方向に統合されない。つまり本明細書において提案されたインプラントにお
ける角度６１２は、例えば少なくとも１０°又は１５°である。前方側部６３から外側及
び／又は内側側部６１及び６２への移行部が丸められているとき、角部の接線６６及び６
７は前方輪郭の延長により画定され得る。インプラントの後方側部６４は、直線部６４１
とアーチ状部６４２とを含み、該アーチ状部はこの実施例においては、半径ｒを有する円
弧であり、第２側部６２及び直線部６４１への接線方向移行部を有している。とりわけ、
アーチ状輪郭部は、外科医に切除された凹部においてインプラントを少しだけ回転させる
ことを可能にする。後方において、少なくともほぼ直角に内側第１側部６１に隣接する直
線輪郭部は、骨の機械加工を容易にし、インプラントの支持面を増やす。表面７は例えば
関節面である。
【００３２】
図５は図４のインプラントによる線Ｖ−Ｖに沿った典型的な切断面を示している。図５
ａによる１実施例においては、表面７及び８は鏡面対称で同じ輪郭を有している。よって
、表面７及び表面８は関節面として移植され得る。その後、それぞれ両面に配置された凹
状のポケット部は、移植において骨セメントの受け入れのために役立つ。
【００３３】
このように形成されたインプラントは右又は左の脛骨における内側移植及び外側移植に
適している。これとは異なり、図５ｂに示したインプラントは、凹状の領域を含む関節面
７とほぼ平坦な接着面８とを有している。この例においては、インプラントは、ポリエチ
レン関節要素６８及び固定側部における層６９を有し、該層６９は、例えばチタン、「ト
ラベキュラーメタル（Trabecular Metal）」のような多孔性の「発泡（Foam）」金属、又
はジンマー（Zimmer）社により「サルメッシュ（Sulmesh）」として市販されているチタ
ンワイヤメッシュから形成される。しかし、これに関連して、プラスチック及び金属は堅
固に結合される。つまり、該インプラントは単一部材（ワンピース）のインプラントであ
る。インプラントの接着面は、図５ｃによるインプラントの実施例において、突起部及び
凹部８１を有し、骨セメントとの向上された結合を達成する。図５ｃ及び図５ａに示した
インプラントも、単一の材料からなり、当該単一の材料は例えばポリエチレン材料、特に
高架橋ポリエチレン、及びαトコフェロールにより安定化された別のポリエチレンからな
り、当然図５ｂに示した形状も、例えば、上記ポリエチレン材料の１つから完全に製造さ
れ得る。これに関連して、図５の矢状面における断面を示した異なる実施例は、関節面の
異なる実施例のための例を示している。関節面は、図５ａ及び図５ｂにおける例について
は、球状に凹形状に形成され、つまり、関節面は前額面（frontal plane）の断面におい
て所定の輪郭に形成されている。関節面は、図５ｃでは、円柱状に凹状に形成されている
。
【００３４】
本明細書において説明され且つ特許請求の範囲に記載されたインプラントの移植は、接
着される形態で行われる。ある実施例において、インプラントは、移植のための準備をさ
れた骨に対する結合部に一致した形状に設けられた固定手段を有していない。よって、ほ
ぼ純粋な前方進入により脛骨プラットフォームの切除を行うこと及び前方進入により引き
出しの形態（引き出しのように）で脛骨の切断部にインプラントを挿入することが可能で
ある。全ての進入は、ほぼ前方、すなわち前方外側又は前方内側においてほぼ行われ、脛
骨への近位進入は要求されないので、靱帯組織及び軟部組織を最大限温存する（できるだ
け切開しない）ことができる。屈曲した状態の膝により、大腿骨の切除及び単顆大腿骨要
素の移植が同一の前方進入により行われ得る。これは、インプラント及び外科手術の最小
化された侵襲アプローチである。
【００３５】
図６は、関節面及び接着面から見たインプラント６の２つの実施例を示している。符号
７は関節面を示し、符号８は接着面を示している。骨セメントの受け入れのための凹部８
１は異なる構造・形状を有している。
【００３６】
図７は、移植されたインプラント６を有する脛骨１の一例を示している。認識され得る
ように、インプラント６の前方側部６３は適切な方法により、脛骨プラトーの前方縁部を
模倣している（インプラント６の前方側部６３は脛骨プラトーの前方縁部の代替物となっ
ている）。前方領域においては、図２及び図３を合わせて見ると認識され得るように、イ
ンプラントは遠位切除面の皮質部分に位置するようになる。よって、インプラントは適切
な前方支持部を有する。外科医は、インプラントの所定の内側乃至外側位置により、脛骨
の前方輪郭に対する前方インプラントの輪郭の一致を向上させることができ、図２ｂ及び
図２ｃ又は図３ｂ及び図３ｃによる切除部の傾いた位置を用いて、インプラントのわずか
な回転により脛骨の前方輪郭に対する前方インプラントの輪郭の一致を向上させてもよい
。
【００３７】
図８は、上記において説明した種類の通常の形状のインプラントの説明のための幾つか
の典型的な寸法の定義（内側長Ｌ１、前方幅ｂＡ、後方幅ｂＰ、前方輪郭長（高さ）Ｈ）
を示している。図示した例においては、前方輪郭は直線部６３１及びアーチ状部からなる
。該アーチ状部は、位置依存性の半径Ｒ（φ）を通常有し、半径が位置に依存しなければ
、当該前方輪郭は円弧である。全ての側部の間の移行部は丸みを付けられている。端部接
線６６及び６７は、側部の仮想の交点までの延長により、この交点において画定される。
半径ｒを有する丸みを付けられた後方輪郭は点線で示され、第２側部６２及び直線後方輪
郭に接線方向に統合される。
【００３８】
特定の実施例は、以下の寸法パラメータを有し、インプラントによる脛骨プラットフォ
ームの前方エッジの解剖学的な輪郭の特によい模倣を達成する。すなわち、インプラント
の前方幅は、１６ｍｍから３７ｍｍの範囲であり、特定の場合には３４ｍｍであり、特定
の場合には１８ｍｍから３３ｍｍの範囲内であり、例えばインプラントのサイズに依存す
るインプラント製品群（family）内において異なる。ある実施例において、丸みを付けら
れた前方輪郭領域は、アーチ状の形状を有し、円の前方弧の半径は１７ｍｍから４０ｍｍ
の範囲内であり、特定の場合には２４ｍｍから３３ｍｍの範囲内である。円弧の半径に対
する前方幅の比は、例えば０．８から１．２の範囲内であり、特定の実施例においては、
０．８から１の範囲内である。特定の実施例において、前方幅に対する円弧の前方半径の
比は、１から１．３である。輪郭長（高さ）は、３．３ｍｍから３７ｍｍの範囲内であり
、特定の場合には１０ｍｍから２５ｍｍであり、さらには１３ｍｍから２０ｍｍである。
前方幅に対する輪郭長（高さ）の比は、例えば０．５５から０．７５の範囲内であり、特
定の場合には０．６０から０．７０の範囲内である。後方幅は、例えば１０ｍｍから３０
ｍｍの範囲内であり、特定の場合には１２ｍｍから２５ｍｍの範囲内であり、さらには１
４ｍｍから２２ｍｍの範囲内である。前方幅に対する後方半径の比は、０．６０から０．
８５であり、特定の場合には０．６５から０．７８である。インプラント長は、３０ｍｍ
から６０ｍｍの範囲内であり、特定の場合には３５ｍｍから５７ｍｍ又は３５ｍｍから５
５ｍｍの範囲内である。後方幅に対するインプラント長の比は約１．７から１．９の範囲
内である。
【００３９】
ある実施例において、インプラントの解剖学的な側部６３は、円弧及び直線状に伸長し
且つ第１側部に隣接して配置された部分６３１により形成される。直線状に伸長するこの
部分の長さは、約４ｍｍから１０ｍｍの範囲内である。特に、第１側部における第３側部
の端部接線は、６５°から９０°の範囲内の第１側部との角度を有し、この角度は、７５
°又は８０°から８５°の範囲内であり、特定の場合には８２°である。特に、第２側部
における端部接線は、１０°から約３５°の範囲内の該第２側部との角度を有する。
【００４０】
典型的な１組のインプラントは、異なるサイズのインプラントを含んでおり、前方幅は
、例えば１６ｍｍから３３ｍｍ、特定の場合には１９ｍｍから３３ｍｍの範囲内である。
前方幅に対する円弧の前方半径の比は、１から１．３０の範囲内において変化し、特定の
実施例において、この比は、最も小さいインプラントサイズから最も大きいインプラント
サイズに減少する。前方幅に対する後方長の比は、０．６から０．７の範囲内である。前
方幅に対する後方半径の比は、０．６５から０．８の範囲内であり、前方幅に対する長さ
の比は、１．６５から１．９の範囲内である。これらの全ての比によると、最も大きな値
は、最も小さなインプラントサイズにより起こり、最も小さな値は、最も大きなインプラ
ントサイズにより起こる。ある実施例において、前方輪郭部は、最も小さなインプラント
サイズにおいては、連続して曲げられており、大きなインプラントサイズにおいては、直
線状の前方アーチ状領域をも有している。中央第１側部における前方輪郭の接線の中央第
１側部との角度は、８０°から８５°の範囲内であり、特定の場合には８２°であり、さ
らに特定の場合には、全てのインプラントサイズのためのインプラントセット内において
一定である。
【００４１】
ある実施例においては、インプラントは、ポリエチレン、特に高度に架橋されたポリエチレン、及び／又は超高分子ポリエチレンから形成される。さらなる発展形においては、ポリエチレンはαトコフォロール（ビタミンＥ）をドープされている。ある実施例において、２つの表面の間のインプラントの厚みは、いかなる点においても５ｍｍ未満ではない。この実施例のさらなる発展形においては、インプラントの厚みは、いかなる点においても１５ｍｍより厚くなく、最大の厚みは、例えば、最大で１３ｍｍ、１０ｍｍ、又は８ｍｍまでの範囲内である。
【００４２】
本明細書においてなされた説明の観点から、特許請求の範囲に記載されたインプラントのさらなる実施例は当業者には明らかであり、該さらなる実施例は本明細書においては明らかには示されていない。
【符号の説明】
【００４３】
１  脛骨
２  脛骨頭部
５  前方−後方軸
６  インプラント
７  第１表面、関節面
８  第２表面、接着面
２１  関節顆
２２  関節顆
２３  隆起部
２４  前方十字靱帯の接着点
２５  後方十字靱帯の接着点
２８  皮質骨
２９  海綿骨
３１  中央側部（内側又は外側）の切除面
３２  周囲側部（内側又は外側）の切除面
３３  前方切除面
３４  遠位切除面
５１  前方−後方軸に対する移植軸の角度
６１  インプラントの第１中央（内側又は外側）側部
６２  インプラントの第２周囲（内側又は外側）側部
６３  インプラントの前方側部
６４  インプラントの後方側部
６６  前方輪郭の第１（中央）接線
６７  前方輪郭の第２（周囲）接線
８１  骨セメントの受け入れのための凹部
６１１  第１接線と第１側部との間の角度
６１２  第２接線と第２側部との間の角度
６１３  第１接線と第２接線との間の角度
６３１  前方直線輪郭領域
６４１  後方直線輪郭領域
６４２  後方曲線輪郭領域
Ａ  前方
Ｐ  後方
Ｒ  前方弧半径
ｒ  後方弧半径
Ｌ１  中央幅
ｂＡ  前方幅
ｂＰ  後方幅 
【国際調査報告】
2009525095.tif 000011
2009525095.tif 000012
2009525095.tif 000013
2009525095.tif 000014
2009525095.tif 000015
2009525095.tif 000016